(57)【要約】【課題】バンド部を非常に容易に挿通孔に挿入でき、結束バンドの抜け防止の引抜強度を向上できる結束バンドの改良構造を提供すること。【解決手段】本発明は、止め具とバンド部を含む結束バンドの改良構造を提供する。バンド部は第１端と第２端を備える。止め具は挿通孔、底板、１対の第１壁部、第２壁部、１対の第１突起部、１対の第２突起部、及び、係止歯を有する。挿通孔が底板に開設し、第１壁部が挿通孔の両側に設置され、第２壁部の左右両側がそれそれ各第１壁部にまで連結する。各第１突起部が各第１壁部の挿通孔に対向する側に設置される。係止歯に複数の第１噛合歯が設けられ、バンド部に複数の第２噛合歯を設けて複数の第１噛合歯と相互に噛み合うことができる。各第２突起部は係止歯の両側から挿通孔の上方までに延出し、且つ、各第１突起部との間に既設隙間を形成する。【選択図】図２
2012046247.tif 000002
【特許請求の範囲】
【請求項１】
結束バンドの改良構造１００であって、
バンド部２０と止め具１０とを含み、
前記バンド部２０の前記止め具１０へ向かう方向が第１方向Ａ１で、前記第１方向Ａ１の水平方向と直交するのが第２方向Ａ２で、前記止め具１０に挿通孔１１が形成され、前記挿通孔１１から上へ向い、且つ、同時に前記第１方向Ａ１、及び、前記第２方向Ａ２と直交するのが第３方向Ａ３であり、前記バンド部２０は前記第１方向Ａ１に沿って第１端２１と第２端２２を形成しており、前記第１端２１が前記止め具１０に連結し、前記第２端２２が前記挿通孔１１から穿通し、且つ、前記止め具１０と相互に嵌合固定でき、
前記止め具１０は底板１２、１対の第１壁部１３、第２壁部１４、１対の第１突起部１５、１対の第２突起部１６、及び、係止歯１７を備え、
前記挿通孔１１が前記底板１２に開設され、前記底板１２は前記第１方向Ａ１に沿って前側１２１と後側１２２を形成しており、前記１対の第１壁部１３が前記挿通孔１１の第２方向Ａ２に沿う両端に設置され、前記第２壁部１４を前記挿通孔１１の前記第１方向Ａ１に沿う一端に設置し、且つ、前記第２壁部１４の左右両側１４２を前記各第１壁部１３にそれぞれ連結し、前記各第１突起部１５が前記各第１壁部１３の前記挿通孔１１に対向する側に設置され、前記係止歯１７は根部１７４を備え、並びに、前記根部１７４で前記底板１２にまで連結し、前記係止歯１７は前記底板１２から延出して前記挿通孔１１の上方に延伸し、且つ、前記１対の第１突起部１５の間に位置し、前記係止歯１７の前記第２壁部１４に対向する面が第１面１７１で、前記第２壁部１４から離れる面が第２面１７２で、前記第１面１７１に複数の第１噛合歯１８が設置され、前記１対の第２突起部１６は前記係止歯１７の両側から前記第１方向Ａ２に沿って前記挿通孔１１の上方に延出し、且つ、前記各第２突起部１６の長さが前記第１突起部１５の長さを下回り、また、前記各第２突起部１６と前記各第１突起部１５の間に前記第１方向Ａ１に沿って既設隙間Ｌを形成し、
前記バンド部２０は表面２３と裏面２４を有し、前記裏面２４に複数の第２噛合歯２８が設けられ、前記係止歯１７の前記第１噛合歯１８と相互に噛み合うことができ、且つ、前記第２噛合歯２８の歯の高さＤ２８は前記第１噛合歯１８の歯の高さＤ１８を下回り、前記バンド部２０の厚さＴ２０は前記係止歯１７の前記第１噛合歯１８の先端部から前記第２壁部１４までの距離Ｄ１を上回ることを特徴とする結束バンドの改良構造。
【発明の詳細な説明】
【技術分野】
【０００１】
本発明は、結束バンドに関し、特に、結束機能を備える固定式結束バンドに関する。
【背景技術】
【０００２】
市販されている結束バンドには、固定タイプの結束バンドと取り外し可能なタイプの結束バンドがあり、主に結束バンド自体のヘッド部がバンド部と相互に噛み合う構造を利用して、結束バンドのバンド部で被結束物を縛った後結束バンド自体のヘッド部を穿通して相互に噛み合うことにより、被結束物を縛る、結束及び収納等の用途として使われている。
【０００３】
取り外し可能なタイプの結束バンドは、元来ヘッド部で噛み合っているバンド部をスムーズに取り外すことができる構造であるため、例えば、電源コードの収納等のように繰り返し使用でき、一般的に単に被結束物を収納するために使われている。
【０００４】
固定タイプの結束バンドのバンド部は、結束バンドのヘッドから取り外し可能な構造を備えていないため、1回限りの使用のみで再利用できない。使用時その結束バンドのバンド部をバンド部のヘッド部に穿通して噛み合わせることで、結束バンドのバンド部を引っ張ればきつくなり、結束バンドを切断或いは破壊してから結束機能を解除できる。通常1回限りの使用の特殊用途に使われ、被結束物が固定タイプ結束バンドで結束されると解放されることはない。一般的に小売店において、特定数量の貨物を固定タイプ結束バンドで結束することで、販売の便利性を図るために使用され、更には他国においてこの固定タイプ結束バンドが臨時手錠として使われている。
【０００５】
これにより、被結束物の反作用力により結束バンドのバンド部とヘッド部の噛み合い構造を破断或いは脱落させて結束の働きが無くなることを避けるため、固定タイプ結束バンドは比較的強い構造と高い引き抜き強度を有しなければならない。
【発明の概要】
【発明が解決しようとする課題】
【０００６】
上述の先行技術の欠陥を解決するため、本発明では、止め具とバンド部とを含む結束バンドの改良構造を提供し、バンド部の止め具へ向かう方向が第１方向で、第１方向の水平方向と直交するのが第２方向で、止め具に挿通孔が形成され、挿通孔から上へ向い、且つ同時に第１方向及び第２方向と直交するのが第３方向である。バンド部は第１端と第２端を備え、第１端が止め具に連結し、第２端が挿通孔から穿通し、且つ止め具と相互に嵌合固定できる。
【０００７】
止め具は底板、１対の第１壁部、第２壁部、１対の第１突起部、１対の第２突起部及び係止歯を備える。挿通孔が底板に開設され、底板は前側と後側を有し、この１対の第１壁部が挿通孔の第２方向に沿う両端に設置され、第２壁部が止め具の第１方向に沿う一端に設置され、且つバンド部から離れ、並びに第２壁部の左右両側を各第１壁部にそれぞれ連結する。各第１突起部が各第１壁部の挿通孔に対向する側に設置される。係止歯は根部を備え、またこの根部で底板にまで連結する。係止歯は底板から延出して挿通孔の上方に延伸し、且つこの１対の第１突起部の間に位置し、係止歯がその根部を支点として第１方向に沿って前後に振らせることができる。係止歯の第２壁部に対向する面が第１面で、第２壁部から離れる面が第２面で、第１面に複数の第１噛合歯が設置される。この１対の第２突起部は係止歯の両側から挿通孔の上方に延出し、且つ各第２突起部と各第１突起部の間に第１方向に沿って既設隙間を形成する。バンド部は表面と裏面を有し、裏面に複数の第２噛合歯が設けられ、係止歯の複数の第１噛合歯と相互に噛み合うことができる。バンド部の厚さは係止歯の第１噛合歯の先端部から第２壁部までの距離を上回る。
【０００８】
このため、本発明の主な目的は、バンド部を第３方向に沿って止め具の挿通孔を穿通させる時、バンド部の第２噛合歯が係止歯の第１噛合歯を第１方向に沿って反対側に押進し、係止歯がその根部を支点として底板の後側に向かって振られ、並びに第１噛合歯の歯の高さが第２噛合歯の歯の高さを上回り、相互に噛み合う時、第１噛合歯と第２噛合歯の間に微小な隙間があるので、先行技術と比較すると、バンド部は第３方向に沿って非常に容易に挿通孔に挿入でき、挿入する抵抗力も比較小さい結束バンドの改良構造を提供することである。
【０００９】
本発明の別の目的は、バンド部が第３方向に沿って止め具の挿通孔に穿通した後、バンド部が力を受けて第３方向の反対側に沿って外れそうになった場合、バンド部の第２噛合歯は係止歯の第１噛合歯に噛み合うため、バンド部が第１方向に沿って係止歯を引っ張ることができ、また第２突起部と第１突起部の間に第１方向に沿って既設隙間を形成するため、この既設隙間は係止歯を第１方向に沿って微小移動させることができ、この微小移動は係止歯の第１噛合歯を更にバンド部の第２噛合歯に密着的に嵌め込ませ、最終的に第２突起部が密着して第１突起部に当接し、係止歯を振れないようにし、且つ第１噛合歯が第２噛合歯にしっかり咬み合うことで、バンド部が止め具から外れることがなく、結束バンドの抜け防止の引抜強度を向上できる結束バンドの改良構造を提供することである。
【００１０】
更に本発明の別の目的は、止め具には挿通孔、第１壁部と第２壁部とを含み、バンド部の穿設をガイドするため、止め具の第２壁部の挿通孔に対向する位置にガイド面が形成され、これを以って、操作者は容易にバンド部を止め具の挿通孔に挿入させることでき、従って迅速に被結束物を縛って結束できる結束バンドの改良構造を提供することである。
【課題を解決するための手段】
【００１１】
上記の目的を達成するため、本発明の結束バンドの改良構造は、止め具とバンド部を含む。バンド部は第１端と第２端を備える。止め具は挿通孔、底板、１対の第１壁部、第２壁部、１対の第１突起部、１対の第２突起部及び係止歯を有する。挿通孔が底板に開設し、第１壁部が挿通孔の両側に設置され、第２壁部の左右両側がそれそれ各第１壁部にまで連結する。各第１突起部が各第１壁部の挿通孔に対向する側に設置される。係止歯に複数の第１噛合歯が設けられ、バンド部に複数の第２噛合歯を設けて複数の第１噛合歯と相互に噛み合うことができる。各第２突起部は係止歯の両側から挿通孔の上方までに延出し、且つ各第１突起部との間に既設隙間を形成する。
【図面の簡単な説明】
【００１２】
【図１】本発明に基づいて提供する好ましい実施例で、結束バンドの改良構造を示す図である。
【図２】本発明に基づいて提供する好ましい実施例で、結束バンドの改良構造の底視図である。
【図３】図２内のＢ−Ｂ切断線の断面図で、立体断面図である。
【図４】本発明に基づいて提供する好ましい実施例で、結束バンドの改良構造の断面視図である。
【図５】本発明に基づいて提供する好ましい実施例で、結束バンドの改良構造の断面視図である。
【発明を実施するための形態】
【００１３】
本発明は、結束バンドの改良構造を開示し、この中で使用する噛合歯及び相互に噛合わせることで嵌合固定効果を実現する関連の原理は、すでに関連技術の分野において通常の知識を有する者も理解できるため、下記の説明において、詳細な記述を行わない。且つ下記の参照図面は、本発明の特徴と関係する構造概念を表明し、実際の寸法で完全に作図する必要がないため、この点について、先ず説明しておく。
【００１４】
まず、図１を参照にしながら説明する。図１は、本発明に基づいて提供する好ましい実施例で、結束バンドの改良構造１００である。結束バンドの改良構造１００には止め具１０とバンド部２０とを含む。バンド部２０から止め具１０の方向へ向かうのは第１方向Ａ１で、第１方向Ａ１の水平方向と直交するのが第２方向Ａ２である。止め具１０に挿通孔１１を形成しており、挿通孔１１から上へ、且つ同時に第１方向Ａ１及び第２方向Ａ２と直交するのが第３方向Ａ３である。バンド部２０は第１方向Ａ１に沿って第１端２１と第２端２２を形成しており、第１端２１を止め具１０に連結し、第２端２２が止め具１０の挿通孔１１から第３方向Ａ３に沿って穿通し、且つ止め具１０と相互に嵌合固定でき、これを以って被結束物を縛ることができる。
【００１５】
図２乃至図３を参照にしながら説明する。図２は、結束バンドの改良構造１００の底視図で、図３は図２内のＢ−Ｂ切断線の断面視図である。結束バンドの改良構造１００の止め具１０は底板１２、１対の第１壁部１３、第２壁部１４、１対の第１突起部１５、１対の第２突起部１６及び係止歯１７を備える。底板１２は第１方向Ａ１に沿って前側１２１と後側１２２を形成しており、バンド部２０の第１端２１が底板１２の後側１２２と連結する。挿通孔１１が底板１２に開設され、第１壁部１３はそれぞれ挿通孔１１の第２方向Ａ２に沿う両端に設置され、第２壁部１４が止め具１０の挿通孔１１の第１方向Ａ１に沿う一端に設置され、且つバンド部２０から離れ、第２壁部１４の左右両側１４２がそれぞれ各第１壁部１３までに連結する。
【００１６】
図４乃至図５を参照にしながら説明する。図４乃至図５は、バンド部２０が止め具１０の挿通孔１１から第３方向Ａ３に沿って穿通した断面視図である。止め具１０の係止歯１７は根部１７４を備え、且つ根部１７４で底板１２に連結する。係止歯１７は底板１２から延出して挿通孔１１までに延伸し、且つ力を受けた時この根部１７４を軸に、第１方向Ａ１に沿って前後に振れることができる。係止歯１７の第２壁部１４に対向する面が第１面１７１で、第２壁部１４から離れる面が第２面１７２で、第１面１７１に複数の第１噛合歯１８が形成される。その他、バンド部２０は表面２３と裏面２４を有し、バンド部２０の裏面２４に複数の第２噛合歯２８を形成しており、これを以って、バンド部２０は止め具１０の挿通孔１１から第３方向Ａ３に沿って穿通した後、バンド部２０の複数の第２噛合歯２８と係止歯１７の複数の第１噛合歯１８とが相互に噛み合うことで、バンド部２０と止め具１０とが相互に嵌合固定して被結束物を縛ることができる。特に留意するのは、バンド部２０の複数の第２噛合歯２８と係止歯１７の複数の第１噛合歯１８とを更に安定して相互に嵌合固定させるため、バンド部２０の厚さＴ２０が係止歯１７の第１噛合歯１８先端部から第２壁部１４までの距離Ｄ１を上回るのが好ましい。
【００１７】
一般の先行技術において、バンド部２０が第３方向Ａ３の反対側に沿って引き出されることを防止したい場合、係止歯１７の引抜強度を増加しなければならない。一般的に係止歯１７の根部１７４の断面積を増やすことである。しかし、この根部１７４の断面積を増やした場合、相対的に係止歯１７の弾性が小さくなり、第１方向Ａ１に沿って前後に振れることが困難になり、利用者が被結束物を縛る時、比較的大きな力でバンド部２０を引っ張ってから被結束物を結束できることになる。
【００１８】
次に、図２乃至図５を参照にしながら説明する。本発明では、係止歯１７の根部１７４を容易に破断させないため、且つ歯根部１７４と底板１２との連結箇所の断面積を増やすことなく、本発明で提供する結束バンドの改良構造１００には、更に１対の第１突起部１５と１対の第２突起部１６を含む。第１突起部１５が各第１壁部１３の挿通孔１１に対向する側に設置される。係止歯１７は底板１２から延出して挿通孔１１の上方までに延伸し、且つこの１対の第１突起部１５の間に位置する。第２突起部１６は係止歯１７の両側から挿通孔１１までに延出し、且つ各第２突起部１６と第１突起部１５の間に第１方向Ａ１に沿って既設隙間Ｌ（図２に示す）が形成される。そして、図５を参照にし、好しくは既設隙間Ｌが第２噛合歯２８の歯の高さＤ２８を下回り、且つ第２突起部１６の第３方向Ａ３に沿う長さが第１突起部１５の第３方向Ａ３に沿う長さを下回る。更に好しくは、既設隙間Ｌが第１噛合歯２８の歯の高さＤ１８を下回る。
【００１９】
これにより、実際に操作する際、本発明の結束バンドの改良構造１００で被結束物(図示せず)を縛る時、バンド部２０が第３方向Ａ３に沿って止め具１０を穿通させ、バンド部２０の第２噛合歯２８が係止歯１７の第１噛合歯１８を第１方向Ａ１の反対側に向かって押進し、係止歯１７がその根部１７４を支点として底板１２の後側１２２に向かって振られ、並びに第１噛合歯１８の歯の高さＤ１８が第２噛合歯２８の歯の高さＤ２８を上回るため、バンド部２０と係止歯１７との隙間が比較的大きく、先行技術と比較すると、バンド部２０は非常に容易に挿通孔１１に挿入でき、挿入抵抗力が比較的小さくなる。
【００２０】
バンド部２０の長さを調整して被結束物を結束した後、バンド部２０を第３方向Ａ３の反対側に沿って止め具１０を引き出しようとする場合、バンド部２０の第２噛合歯２８と係止歯１７の第１噛合歯１８とが噛み合っているため、バンド部２０が第１方向Ａ１に沿って係止歯１７を引っ張ることができ、また第２突起部１６と第１突起部１５の間に第１方向Ａ１に沿って既設隙間Ｌを形成するため、この既設隙間Ｌ（図２に示す）は係止歯１７が第１方向Ａ１に沿って微小移動させることができ、この微小移動が係止歯１７の第１噛合歯１８を更にバンド部２０の第２噛合歯２８に密着して嵌め込まれ、最後第２突起部１６が第１壁部１３両側の第１突起部１５に密着して当接し、係止歯１７が再度移動されることなく、且つ第１噛合歯１８がしっかり第２噛合歯２８に咬み合うことで、バンド部２０を止め具１０から外れることがないため、結束バンドの抜け防止の引抜強度を向上できる。また第２突起部１６を通じて第１壁部１３両側の第１突起部１５に当接することで、係止歯１７の根部１７４が受ける力を分散させ、係止歯１７の根部１７４が破断しにくくできる。
【００２１】
同時に、先行技術と比較すると、先行技術には本発明の第１突起部１５と第２突起部１６の関連設計がないため、バンド部が力を受けて反対側に外れるそうになった時、係止歯全体がバンド部により引っ張られ、根部のみが底板に連結しているため、根部が受ける力が非常に大きく、このため係止歯が常に根部から破断して破損することになる。しかし、本発明で提供する結束バンドの改良構造１００の第２突起部１６はしっかりと第１突起部１５に当接し、係止歯１７が受けるバンド部２０の引張力を第２突起部１６を通じて一部の引張力を止め具１０の第１突起部１５に移転させ根部１７４の受る力を分散し、これにより根部１７４が容易に破断して破損することがなく、且つ係止歯１７全体が更に大きな引張力に耐えることができ、強度も明らかに増やすことができる。
【００２２】
図４、図５を参照にして説明する。この結束バンドの改良構造１００の止め具１０を更に円滑で操作し易く及び外形的な美観に配慮するため、止め具１０の係止歯１７の高さＨ１７は第２壁部１４の高さＨ１４を下回り、且つ第１壁部１３の高さＨ１３も下回るのが好ましい。また、係止歯１７の第２面１７２に斜面を形成でき、これも起型、量産製造に有利になる。
【００２３】
その他、図３を参照にして説明する。バンド部２０の穿設を案内するため、止め具１０の第２壁部１４の挿通孔１１に対向する位置にガイド面１４１を更に形成でき、このガイド面１４１は円弧面が好ましく、勿論斜面にして製作できる。これを以って、操作者が容易にバンド部２０を止め具１０の挿通孔１１から第３方向Ａ３に沿って穿通し、従って迅速に被結束物を結束できる。
【００２４】
以上の記述は、本発明の好ましい実施例のみであり、本発明特許請求の権利が限定されるものではない。同時に本技術分野を熟知する者が以上の記述を理解及び実施できる。このため、本発明の精神を逸脱しない範囲内において種々の改良変更をなし得ることは、特許請求の範囲内に含めるものであるのが勿論である。
【符号の説明】
【００２５】
１００・・・・・結束バンドの改良構造
１０・・・・・・止め具
１１・・・・・・挿通孔
１２・・・・・・底板
１２１・・・・・前側
１２２・・・・・後側
１３・・・・・・第１壁部
１４・・・・・・第２壁部
１４１・・・・・ガイド面
１４２・・・・・両側
１５・・・・・・第１突起部
１６・・・・・・第２突起部
１７・・・・・・係止歯
１７１・・・・・第１面
１７２・・・・・第２面
１７４・・・・・根部
１８・・・・・・第１噛合歯
２０・・・・・・バンド部
２１・・・・・・第１端
２２・・・・・・第２端
２３・・・・・・表面
２４・・・・・・裏面
２８・・・・・・第２噛合歯
Ｔ２０・・・・・バンド部の厚さ
Ｈ１３、Ｈ１４、Ｈ１７・・・高さ
Ｄ１８・・・・・第１噛合歯の歯の高さ
Ｄ２８・・・・・第２噛合歯の歯の高さ 
Ｄ１・・・・・・第１噛合歯の先端部から第２壁部までの距離
Ａ１・・・・・・第１方向 
Ａ２・・・・・・第２方向 
Ａ３・・・・・・第３方向 
Ｌ・・・・・・・既設隙間 
【図１】
2012046247.tif 000003
【図２】
2012046247.tif 000004
【図３】
2012046247.tif 000005
【図４】
2012046247.tif 000006
【図５】
2012046247.tif 000007